(57)【特許請求の範囲】
【請求項１】
紙材を打ち抜いて形成される展開状態のカートンブランクスを角筒状に折り曲げて形成される側面部と、この側面部の長手方向の一側を折り畳んで溶着・形成される底面部と、他側に設けられて内容物が内部に充填されると共に、溶着されて内部が密封される容器トップ部とを有する紙容器の前記容器トップ部に、前記充填された内容物に関する情報を表示する情報表示切欠部を形成する紙容器の切欠形成装置であって、前記切欠形成装置は、回転する刃物本体と、この刃物本体の外周に固定されて刃物本体の回転により前記カートンブランクスの容器トップ部に相当する外周端の一部を切除する複数個の回転刃と、前記刃物本体を回転駆動する回転駆動手段と、複数枚のカートンブランクスが集積され積載された製品ブロックの前記容器トップ部に相当する外周端側に沿って前記刃物本体を相対移動させる移動手段とを備え、前記情報切欠部が断面弧状の切欠からなり、前記複数個の回転刃が、前記弧状の切欠の少なくとも半周より多い部分を切除する第１の回転刃と、少なくとも残りの半周を切除する第２の回転刃とからなり、前記第１の回転刃と第２の回転刃とが前記刃物本体の外周に交互に配置され固定されていることを特徴とする紙容器の切欠形成装置。
【発明の詳細な説明】
【０００１】
【発明の属する技術分野】
本発明は、紙材から展開状態で打ち抜かれた後に、箱状に折曲形成されて牛乳、ジュース等の飲用物が充填される紙容器及びこの紙容器の切欠形成装置に関する。
【０００２】
【従来の技術】
牛乳やジュース等の飲用物が充填される紙容器（牛乳パック等）では、その表面（側面）に、内容物に関する情報、例えば、内容物が牛乳であること、ジュースであること等が印刷されて表示されている。消費者は、この表示内容を視認することによって、その紙容器内に充填されている内容物を判別している。
【０００３】
【発明が解決しようとする課題】
ところが、箱詰めされていたり、表面が覆われているような場合、内容物に関する情報を視認することができず紙容器の形状が同一であるため、誤って異なる内容物が充填された紙容器を選んでしまう恐れがある。
【０００４】
また、このような場合、箱内から一々取り出したり、表面を露出させたりして側面の印刷された表示を視認しなければならないので、利便性に欠けるという問題がある。
【０００５】
そこで、本発明は、紙容器内の内容物に関する情報を容易に得ることが可能な紙容器及びこの紙容器の切欠形成装置の提供を目的とする。
【０００６】
【課題を解決するための手段】
上記目的を達成するため、請求項１の発明は、紙材を打ち抜いて形成される展開状態のカートンブランクスを角筒状に折り曲げて形成される側面部と、この側面部の長手方向の一側を折り畳んで溶着・形成される底面部と、他側に設けられて内容物が内部に充填されると共に、溶着されて内部が密封される容器トップ部とを有する紙容器であって、前記容器トップ部に、前記充填された内容物に関する情報を表示する情報表示切欠部を設けたことを特徴としている。
【０００７】
この紙容器では、容器トップ部の情報切欠部を視認、あるいは手で触れることによって内容物に関する情報を容易に得ることができる。従って、例えば、紙容器の側面等に印刷されて表示された内容物に関する情報を視認することができない場合でも、容器トップ部分の情報表示切欠部を手で触れることによって内容物に関する情報を得ることができる。
【０００８】
この場合、情報切欠部の切欠の数や、切欠の形状により数種類の情報を表示することができ、それらは指先で触れることによって読みとることができると共に、その切欠を視認することによっても内容物に関する情報を知ることができる。更に、前記切欠部の位置から例えば、該切欠部の反対側が容器トップ部の開封方向である事が容易に判断できる。
【０００９】
また、前記情報表示切欠部が弧状断面の切欠からなることを特徴とする。
【００１０】
この紙容器では、弧状断面の切欠によって情報切欠部を形成することにより、この切欠を指で触れることによって、あるいは、この切欠を視認することによって内容部に関する情報を読みとることができる。
【００１１】
さらに、この発明によれば、情報表示切欠部を形成する切欠形成装置は、回転する刃物本体と、この刃物本体の外周に固定されて刃物本体の回転により前記カートンブランクスの容器トップ部に相当する外周端の一部を切除する複数個の回転刃と、前記刃物本体を回転駆動する回転駆動手段と、複数枚のカートンブランクスが集積され積載された製品ブロックの前記容器トップ部に相当する外周端側に沿って前記刃物本体を相対移動させる移動手段とを備えていることを特徴としている。
【００１２】
この切欠形成装置では、回転駆動手段によって回転する刃物本体を移動手段により容器トップ部に相当する外周端側に沿って相対移動させることで、刃物本体と共に回転する回転刃により切欠が形成される。この場合、複数枚のカートンブランクスの外周端側に沿って相対移動させることにより一度に複数枚のカートンブランクスの容器トップ部に相当する外周端に切欠を形成することができる。
【００１３】
そして、前記情報切欠部が断面弧状の切欠からなり、前記複数個の回転刃が、前記弧状の切欠の少なくとも半周より多い部分を切除する第１の回転刃と、少なくとも残りの半周を切除する第２の回転刃とからなり、前記第１の回転刃と第２の回転刃とが前記刃物本体の外周に交互に配置され固定されていることを特徴としている。
【００１４】
この切欠形成装置では、弧状断面の切欠を形成する場合、第１の回転刃が半周より多い部分を先ず切除し、次に第２の回転刃が少なくとも残りの半周を切除する。すなわち、第１の回転刃と第２の回転刃とは切除する部分がオーバーラップしているため、第１の回転刃で切除できなかった部分を第２の回転刃によって確実に切除することができる。
【００１５】
【発明の実施の形態】
以下、本発明に係る紙容器の実施形態について説明する。図１は、紙容器１の全体を示す斜視図、図２は、紙容器１の容器トップ部４を拡大した斜視図である。また、図３及び図４は、紙材から打ち抜かれた展開状態のカートンブランクス７を示す。
【００１６】
図１に示すように、本実施形態の紙容器１は、牛乳等が充填された箱状の牛乳パックで、底面部２と、側面部３と、容器トップ部４とからなる。容器トップ部４の外周端４ｅには、追加加工によって形成されて内容物に関する情報が表示された情報表示切欠部５が形成されている。情報切欠部５は、容器トップ部４の外周端４ｅに形成された弧状の切欠（図６（ａ）参照）２３で形成されている。
【００１７】
紙容器１は、最初に、図３に示すように、枚葉状の紙材６を打ち抜いて展開状態のカートンブランクス７を形成する。この打ち抜き工程は、側面部３に絵柄を印刷する印刷装置（不図示）内で行われている。この打ち抜き工程により、紙材６から不要な部分８と展開状態のカートンブランクス７が打ち抜かれると共に、折り線９が形成される。
【００１８】
このカートンブランクス７は、底面部２を形成するための４つの底面２ａ、２ｂ、２ｃ、２ｄと、側面部３を形成するための４つの側面３ａ、３ｂ、３ｃ、３ｄと、容器トップ部４を形成する４つの上面４ａ、４ｂ、４ｃ、４ｄと、側面３ａ、底面２ａ、上面４ａに連続して設けられた糊代部分１０とで形成されている。この時点では、容器トップ部４には、情報表示切欠部５は形成されていない。
【００１９】
このようにして形成されたカートンブランクス７は、図５に示すように複数枚が集積され、積層される。集積され、積層された複数枚のカートンブランクス（以下「製品ブロック」という）１１は、図９に示す切欠形成装置１２によって図６（ａ）、図７、図８に示すように情報切欠部５が形成される。
【００２０】
図９乃至図１１に示すように、切欠形成装置１２は、基台１３上に、回転する刃物本体１４と、この刃物本体１４の外周に固定されて刃物本体１４の回転によりカートンブランクス７の容器トップ部４に相当する外周端４ｅの一部を切除する複数個の回転刃１５と、前記刃物本体１４を回転駆動するモータ（回転駆動手段）１６と、複数枚のカートンブランクス７が集積され積載された製品ブロック１１の容器トップ部４に相当する外周端４ｅ側に沿って刃物本体１４を移動させる移動手段１７とを備えている。
【００２１】
また、基台１３上には、製品ブロック１１を支持する支持手段１８が配置されている。この支持手段１８は、基台１３の一側に固定された固定板１９と、他側に配置されて固定板１９との間で製品ブロック１１を押圧・挟持する可動押え板２０と、この可動押え板２０を固定板１９側へ向けて移動させて製品ブロック１１を押圧する油圧シリンダ２１とで形成されている。
【００２２】
また、固定板１９と可動押え板２０との間には、複数本の整列シャフト２６が設けられており、これらの整列シャフト２６に製品ブロック１１の一側が当接することによって複数枚のカートンブランクス７の一側が揃えられる。
【００２３】
そして、上記支持手段１８と基台１３との間、すなわち、固定板１９と可動押え板２０との間の下部側に、上記刃物本体１４と、モータ１６と、移動手段１７とが配設されている。
【００２４】
移動手段１７は、移動モータ２２と、この移動モータ２２の駆動力でモータ１６及び刃物本体１４を移動させるラックピニオン（不図示）とで構成されている。
【００２５】
刃物本体１４は、モータ１６の駆動軸１６ａに固定されている。この刃物本体１４の外周に、図１２に示すように、４つの回転刃１５が周方向に略等間隔に固定されている。回転刃１５は、図１３（ａ）に示すように弧状の切欠２３の少なくとも半周より多い部分を切除する第１の回転刃２４と、図１３（ｂ）に示すように、少なくとも残りの半周を切除する第２の回転刃２５とからなる。そして、第１の回転刃２４と第２の回転刃２５とが刃物本体１４の外周に交互に配置され固定されている。このため、切欠２３を形成する際に、第１の回転刃２４により弧状の切欠２３の約半分以上が形成された後に、第２の回転刃２５により残りの半分が形成される。従って、弧状の切欠２３を、ばり等が発生することなくきれいに形成することができる。
【００２６】
次に、紙容器１の製造手順及び切欠の製造手順について説明する。
【００２７】
枚葉状の紙材６から、展開状態のカートンブランクス７を打ち抜いた後に、複数枚のカートンブランクス７を集積し、積層して図５に示すように、製品ブロック１１とする。この製品ブロック１１を、切欠製造装置１２の支持手段１８によって支持する。すなわち、固定板１９と可動押え板２０との間に製品ブロック１１を載置し、油圧シリンダ２１によって固定板１９と可動押え板２０との間で押圧・挟持する。このとき、製品ブロック１１は、一側が整列シャフト２６に当接することによって整列される。
【００２８】
支持手段１７によって製品ブロック１１を支持した状態で、モータ１６を駆動して刃物本体１４を高速で回転させて第１の回転刃２４及び第２の回転刃２５を回転駆動させる。この状態のままで、移動モータ２２を駆動して刃物本体１４及びモータ１６とを基台１３上で、製品ブロック１１の容器トップ部４の上面４ｂの外周端４ｅに沿って移動させる。これにより、各カートンブランクス７の容器トップ部４の外周端４ｅに弧状の切欠２３が連続してそれぞれ形成される。さらに、容器トップ部４の上面４ｄの外周端４ｅに沿って刃物本体１４とモータ１６とを移動させることにより、カートンブランクス７の上面４ｄに切欠２３が連続してそれぞれ形成される。
【００２９】
切欠形成装置１２によって、情報表示切欠部５が形成された後に、各カートンブランクス７は、箱状に折り曲げられ、糊代部分１０で溶着されて、内部に内容物が充填される。内容物が充填された後に、容器トップ部４が密封されて完成する。
【００３０】
本実施形態の紙容器１では、紙容器１内に充填される内容物に関する情報を表示する情報表示切欠部５が容器トップ部４に設けられているので、側面部３の絵柄を確認することができない状態でも、情報表示切欠部５の切欠２３を確認することによって、内容物に関する情報を知ることができる。
【００３１】
また、容器トップ部４の情報表示切欠部５を指等で触れることによっても、内容物に関する情報を読みとることもできるため、例えば、お年寄りや、目の不自由な方、あるいは健常者でも側面部を確認できない状態で内容物に関する情報を識別することができる。
【００３２】
また、本実施形態では、容器トップ部４に切欠２３を形成する場合、複数枚のカートンブランクス７を集積し、積層して製品ブロック１１とすることで、まとめて加工することができる。しかも、カートンブランクス７を形成するためのフラットダイやカッターセグメントを交換することなく、後加工によって切欠２３を形成することができるので、現状の製造工程を大幅に変更することなく情報表示切欠部５を形成することができる。
【００３３】
なお、上記実施形態では、情報表示切欠部５として、弧状断面の切欠２３を形成した例を示したが、図６（ｂ）に示すように、三角断面の切欠２７出あっても良い。
【００３４】
また、上記実施形態では、一つの弧状断面の切欠２３を形成した例を示したが、切欠２３を複数個設けることによって、種々の情報を表示することができる。
【００３５】
【発明の効果】
以上説明したように、請求項１の発明によれば、容器トップ部の情報切欠部を視認、あるいは手で触れることによって内容物に関する情報を容易に得ることができる。従って、例えば、紙容器に印刷されて表示された内容物に関する情報を視認することができない場合でも、容器トップ部分の情報表示切欠部を手で触れることによって内容物に関する情報を得ることができる。
【００３６】
この場合、情報切欠部の切欠の数や、切欠の形状により数種類の情報を表示することができ、それらは指先で触れることによって読みとることができると共に、その切欠を視認することによっても内容物に関する情報を知ることができる。
【００３７】
また、弧状断面の切欠によって情報切欠部を形成することにより、この切欠を指で触れることによって、あるいは、この切欠を視認することによって内容部に関する情報を読みとることができる。
【００３８】
さらに、複数枚のカートンブランクスの外周端側に沿って相対移動させることにより一度に複数枚のカートンブランクスの容器トップ部に相当する外周端に切欠を容易に形成することができる。
【００３９】
そして、第１の回転刃と第２の回転刃とは切除する部分がオーバーラップしているため、第１の回転刃で切除できなかった部分を第２の回転刃によって確実に切除することができる。
【図面の簡単な説明】
【図１】本発明に係る紙容器を示す斜視図である。
【図２】本発明に係る紙容器の容器トップ部を拡大した斜視図である。
【図３】紙材から展開状態のカートンブランクスを打ち抜く前の状態を示す平面図である。
【図４】カートンブランクスを示す平面図である。
【図５】複数枚のカートンブランクスを集積し、積層した製品ブロックを示す斜視図である。
【図６】情報表示切欠部を示し、（ａ）は弧状の切欠を示す平面図、（ｂ）は三角形状の切欠を示す平面図である。
【図７】容器トップ部を示す側面図である。
【図８】容器トップ部を示す正面図である。
【図９】切欠形成装置を示す側面図である。
【図１０】切欠形成装置を示す正面図である。
【図１１】切欠形成装置を示す平面図である。
【図１２】刃物本体を示す正面図である。
【図１３】回転刃を示し、（ａ）は第１の回転刃を示す平面図、（ｂ）は第２の回転刃を示す平面図である。
【符号の説明】
１  紙容器
２  底面部
３  側面部
４  容器トップ部
５  情報表示切欠部
６  紙材
７  カートンブランクス
【図１】
0004054429.tif 000002
【図２】
0004054429.tif 000003
【図３】
0004054429.tif 000004
【図４】
0004054429.tif 000005
【図５】
0004054429.tif 000006
【図６】
0004054429.tif 000007
【図７】
0004054429.tif 000008
【図８】
0004054429.tif 000009
【図９】
0004054429.tif 000010
【図１０】
0004054429.tif 000011
【図１１】
0004054429.tif 000012
【図１２】
0004054429.tif 000013
【図１３】
0004054429.tif 000014